(57)【特許請求の範囲】
【請求項１】
ごみ破砕物を一次選別して得られる不燃物画分を投入するホッパと、
前記ホッパ内に傾斜して配置される二次選別用の篩選別機と、
前記篩選別機の下方に配置され、前記ホッパ内を不燃物収容空間と可燃物収容空間に分ける仕切板と、
前記不燃物収容空間の下方に配置される開閉可能な不燃物排出口と、
前記可燃物収容空間の下方に配置される開閉可能な可燃物排出口と、
前記篩選別機に設けられた振動装置とを備え、
前記篩選別機は、上方の端部を前記不燃物収容空間上に配置し、下方の端部を前記可燃物収容空間上に配置されており、
前記篩選別機を通過した不燃物が、前記不燃物収容空間に貯留され、前記篩選別機を通過しなかった可燃物が、前記可燃物収容空間に貯留されるように構成されていることを特徴とする不燃物精選分別装置。
【請求項２】
前記篩選別機は、その傾斜角を変更可能に支持されており、前記仕切板は、その下端が前記不燃物排出口と前記可燃物排出口との間に支持され、その上端が前記篩選別機の下面に追随して支持されるように、高さ方向に伸縮可能な構造をなしている請求項１記載の不燃物精選分別装置。
【請求項３】
前記振動装置は、前記篩選別機の下面に直接取付けられた振動モータからなる請求項１又は２記載の不燃物精選分別装置。
【請求項４】
前記篩選別機は、篩目のサイズが異なる複数枚の篩を、緩衝材を挟んで積み重ねて構成され、下段へ行くほど段階的に篩目のサイズが小さくなっており、複数枚の篩の全てを通過したものは前記不燃物収容空間に貯留され、複数枚の篩のいずれかを通過しなかったものは前記可燃物収容空間に貯留されるように構成されている請求項１〜３のいずれか１つに記載の不燃物精選分別装置。
【請求項５】
ごみ破砕物を一次選別して得られる不燃物画分を投入するホッパに取付けられる部品であって、前記ホッパ内に傾斜して配置される二次選別用の篩選別機と、前記篩選別機の下方に配置され、前記ホッパ内を不燃物収容空間と可燃物収容空間に分ける仕切板とを備えていることを特徴とするホッパ取付部品。
【発明の詳細な説明】
【技術分野】
【０００１】
本発明は、ごみ破砕物を一次篩に通して得られる不燃物画分を、更に精選するための、不燃物精選分別装置に関する。
【背景技術】
【０００２】
粗大ごみ処理施設に運ばれた粗大ごみは、破砕機で破砕されてごみ破砕物となる。このごみ破砕物は、例えば、可燃物と不燃物とに分別する可燃物不燃物分別機、鉄などの磁性物を磁力によって引きつけて選別する磁力選別機、アルミニウムなどの非磁性金属を電磁誘導の反発力により遠くまで飛ばして選別する渦電流選別機に通されて、可燃物画分、不燃物画分、磁性物画分、アルミ画分に分別される。
【０００３】
上記の可燃物不燃物分別機としては、破砕物のサイズに基づいて篩上物と篩下物に分別する、篩選別機を使用することができる。篩選別機には、様々な構造が知られているが、例えば下記の特許文献１〜３を参照できる。
【０００４】
例えば、紙類、繊維類、木類、厨芥類などの可燃物は、破砕機によって破砕処理しても粒径の小さい粉砕物にはなり難く、篩選別機の篩目を通過しにくいため、篩上物に多く含まれている。そこで、この篩上物から更に磁性物画分とアルミ画分を選別し、残りを可燃物画分としている。可燃物画分は、焼却場に運ばれ、焼却処理されている。
【０００５】
一方、ガラス類や陶磁器類などの不燃物は、破砕機によって粒径の小さい粉砕物になり易く、篩選別機の篩目を通過し易いため、篩下物に多く含まれている。そこで、この篩下物から更に磁性物画分を選別し、残りを不燃物画分としている。不燃物画分は、最終処分場に運ばれ、埋め立て処理されている。
【０００６】
また、磁性物画分とアルミ画分は、資源として再利用されている。
【先行技術文献】
【特許文献】
【０００７】
【特許文献１】特開平５−５７２４９号公報
【特許文献２】特開平５−２２０４５７号公報
【特許文献３】特開２０００−２１８２３７号公報
【発明の概要】
【発明が解決しようとする課題】
【０００８】
しかしながら、近年、粗大ごみ処理施設に運び込まれる粗大ごみの組成に変化が起きている。例えば、廃プラスチックが占める量が増えていることが挙げられる。廃プラスチックは可燃物であるが、破壊処理において、粒径の小さい粉砕物になり易いため、ガラス類や陶磁器類の粉砕物と共に不燃物画分として選別される。このような事情から、粗大ごみ処理施設から排出される不燃物画分の量は、年々増加している。しかしながら、現存の最終処分場の処分容量には限界があり、首都圏における最終処分場の残余年数は４年であると、環境省は試算している。その圧迫されている現存の最終処分場の延命を図ることが必要であり、不燃物画分の減量が強く求められている。
【０００９】
不燃物画分を減量する方法として、例えば篩選別機の篩目を細かくして篩下物を減量する方法が考えられる。ただし、単に篩目を細かくすると選別能力が低下するうえ、目詰まりするリスクも高くなるので好ましくない。それよりも、不燃物画分を目の粗い篩で一次選別した後に、目の細かい篩で二次選別する、精選分別の方が優れている。しかしながら、精選分別可能なごみ処理施設を新しく建設する案では資金調達が難しく、既存設備を改造する案では二次篩の増設スペースの確保に苦慮するため、どちらの案も現実的でない、と考えられてきた。
【００１０】
よって、本発明の目的は、既存の粗大ごみ処理施設にも適合可能で、新たな装置の設置スペースを要せず、設備コストも低減できる、不燃物精選分別装置を提供し、上記課題を解決することにある。
【課題を解決するための手段】
【００１１】
上記目的を達成するため、本発明の不燃物精選分別装置は、ごみ破砕物を一次選別して得られる不燃物画分を投入するホッパと、前記ホッパ内に傾斜して配置される二次選別用の篩選別機と、前記篩選別機の下方に配置され、前記ホッパ内を不燃物収容空間と可燃物収容空間に分ける仕切板と、前記不燃物収容空間の下方に配置される開閉可能な不燃物排出口と、前記可燃物収容空間の下方に配置される開閉可能な可燃物排出口と、前記篩選別機に設けられた振動装置とを備え、前記篩選別機は、上方の端部を前記不燃物収容空間上に配置し、下方の端部を前記可燃物収容空間上に配置されており、前記篩選別機を通過した不燃物が、前記不燃物収容空間に貯留され、前記篩選別機を通過しなかった可燃物が、前記可燃物収容空間に貯留されるように構成されていることを特徴とする。
【００１２】
本発明によれば、ホッパ内に二次選別用の篩選別機を傾斜して配置させ、ごみ破砕物を一次選別して得られる不燃物画分を投入し、前記篩選別機を通過したものを不燃物収容空間に貯留して不燃物排出口から取出し、篩選別機を通過しなかったものを可燃物収容空間に貯留して可燃物排出口から取出すことにより、不燃物画分を更に精選して、埋め立て処理する不燃物ごみの量を減らすことができる。また、既存設備に設けられている不燃物画分を投入するホッパ内に、篩選別機と仕切板とを設けるだけで、従来の不燃物画分から不燃物を更に精選する機能を付与することができるので、新たな装置の設置スペースを要せず、設備コストも低減することができる。
【００１３】
本発明の不燃物精選分別装置においては、前記篩選別機は、その傾斜角を変更可能に支持されており、前記仕切板は、その下端が前記不燃物排出口と前記可燃物排出口との間に支持され、その上端が前記篩選別機の下面に追随して支持されるように、高さ方向に伸縮可能な構造をなしていることが好ましい。これによれば、篩選別機の傾斜角を変えることにより、振動装置の振動によって、篩を傾斜方向下方に移動する不燃物画分の移動速度を変化させ、篩を通過する不燃物と篩を通過しない可燃物との割合を調整することができ、埋め立て処理に付される不燃物の量を調整することができる。
【００１４】
本発明の不燃物精選分別装置においては、前記振動装置は、前記篩選別機の下面に直接取付けられた振動モータからなることが好ましい。これによれば、篩の下面に直接取付けられた振動モータの振動によって、篩の撓みを利用して篩を効果的に振動させ、不燃物が通過しやすくすると共に、目詰まりを抑制することができる。
【００１５】
本発明の不燃物精選分別装置においては、前記篩選別機は、篩目のサイズが異なる複数枚の篩を、緩衝材を挟んで積み重ねて構成され、下段へ行くほど段階的に篩目のサイズが小さくなっており、複数枚の篩の全てを通過したものは前記不燃物収容空間に貯留され、複数枚の篩のいずれかを通過しなかったものは前記可燃物収容空間に貯留されるように構成されていることが好ましい。これによれば、不燃物画分に含まれるごみを、目の粗い篩を通して目の細かい篩に供給し、最終的に目的とする粒度の不燃物を得ることにより、不燃物の通過率を高め、目詰まりを抑制することができる。
【００１６】
本発明のホッパ取付部品は、ごみ破砕物を一次選別して得られる不燃物画分を投入するホッパに取付けられる部品であって、前記ホッパ内に傾斜して配置される二次選別用の篩選別機と、前記篩選別機の下方に配置され、前記ホッパ内を不燃物収容空間と可燃物収容空間に分ける仕切板とを備えていることを特徴とする。
【００１７】
本発明によれば、既存設備に設けられている不燃物画分を投入するホッパ内に、このホッパ取付部品である、二次選別用の篩選別機と仕切板とを設置するだけで、上記の不燃物精選分別装置を構成することが可能となり、設備コストを低減しつつ、不燃物を更に精選して、埋め立て処理する不燃物ごみの量を減らすことができる。
【発明の効果】
【００１８】
本発明によれば、ホッパ内に二次選別用の篩選別機を傾斜して配置させ、ごみ破砕物を一次選別して得られる不燃物画分を投入し、前記篩選別機を通過したものを不燃物収容空間に貯留して不燃物排出口から取出し、篩選別機を通過しなかったものを可燃物収容空間に貯留して可燃物排出口から取出すことにより、不燃物画分を更に精選して、埋め立て処理する不燃物ごみの量を減らすことができる。また、既存設備に設けられている不燃物画分を投入するホッパ内に、篩選別機と仕切板とを設けるだけで、従来の不燃物画分から不燃物を更に精選する機能を付与することができるので、新たな装置の設置スペースを要せず、設備コストも低減することができる。
【図面の簡単な説明】
【００１９】
【図１】本発明に係る不燃物精選分別装置の一実施形態をあらわす概略図である。
【図２】本発明に係る不燃物精選分別装置の他の実施形態をあらわす概略図である。
【図３】本発明の不燃物精選分別装置の一部をなす篩選別機の側面図である。
【図４】同篩選別機の斜視図である。
【図５】同篩選別機の分解側面図である。
【図６】同篩選別機の分解斜視図である。
【発明を実施するための形態】
【００２０】
以下、図面を参照しながら、本発明の不燃物精選分別装置について説明する。
【００２１】
図１には、不燃物精選分別装置１００の一実施形態をあらわす概略図が示されている。不燃物精選分別装置１００は、ホッパをなす外壁１と、前工程で一次選別された不燃物画分を投入する投入口２と、外壁１の内側に配置され前記不燃物画分を粒度に基づいて不燃物（篩下物）と可燃物（篩上物）とに分別する篩選別機２０と、篩選別機２０の下方に配置され、外壁１に囲まれた空間を不燃物収容空間４ａと可燃物収容空間４ｂに分ける仕切板３と、不燃物収容空間４ａの下方に配置される開閉可能な不燃物排出口の扉５ａと、可燃物収容空間４ｂの下方に配置される開閉可能な可燃物排出口の扉５ｂと、篩選別機２０に設けられた振動装置３０とを備える。
【００２２】
外壁１は、外壁１の内側に収容部を有するホッパ形状（例えば下方に向かって縮径する漏斗形状）の構造物であって、図示しない既存の一次分別機の排出口に適合する投入口２、不燃物排出口の扉５ａ（扉閉の状態）、可燃物排出口の扉５ｂ（扉閉の状態）を備える。
【００２３】
同図において、不燃物排出口の扉５ａが回動して開いた状態は、符号５ａａを付した二点鎖線によって表され、可燃物排出口の扉５ｂが回動して開いた状態は、符号５ｂｂを付した二点鎖線によってあらわされている。ただし、同図に示されている排出口の扉５ａ、５ｂの開閉扉は、一例であって、回動式の開閉扉に限定されず、他方式の扉を採用してもよい。
【００２４】
篩選別機２０は、篩選別機２０の下面から突出する脚部２８ａ，２８ｂを介して、固定支持部６と、該固定支持部６よりも低い位置に配置された可動支持部８とによって支持され、外壁１の内側に傾斜して配置されている。
【００２５】
脚部２８ａと固定支持部６とは、例えば、脚部貫通孔２９ａに挿通された回転軸６ａによって回動可能に接続されており、回転軸６ａを支える軸受部６ｂは、防振部材６ｃを介して、ホッパの外壁１に固定された固定梁７の上に載置されている。
【００２６】
一方、脚部２８ｂと可動支持部８とは、例えば、脚部貫通孔２９ｂに挿通された回転軸８ａによって回動可能に接続されており、回転軸８ａを支える軸受部８ｂは、防振部材８ｃを介して、ホッパ外壁１に対して上下左右に移動可能な可動梁９の上に載置されている。
【００２７】
篩選別機２０は仕切板３を跨ぎ、篩選別機２０の高い方の端部は不燃物収容空間４ａの上方に、低い方の端部は可燃物収容空間４ｂの上方に位置し、篩上物が可燃物収容空間４ｂに確実に落下するように配置され、可動梁９を移動させることにより、回転軸６ａを支点として回動させ、篩選別機２０の傾斜角を変更することができる。
【００２８】
篩選別機２０の傾斜角の範囲は、特に限定されないが、２５°〜３５°の範囲が好ましい。傾斜角は小さいほど選別能力が向上するが、傾斜角を２５°よりも小さくすると篩面に滞留する時間が長くなり過ぎてごみ処理量が低下する。対策として、篩を大きく振動させて処理量を増やすことも可能であるが、大きく振動させるために動力コストが嵩むという問題が生じる。一方、傾斜角を３５°よりも大きくすると、選別能力が低下し、不燃物が回収できなくなるので好ましくない。
【００２９】
振動装置３０は、篩選別機２０の篩の下面に直接取付けられ、篩の撓みを利用して篩を効果的に振動させることができる。篩選別機２０の振動は、固定支持部６の防振部材６ｃ、可動支持部８の防振部材８ｃによって弱められ、外壁１に振動がなるべく伝わらないように（大きな騒音を出さないように）なっている。なお、図１では、固定支持部６の近くに振動装置３０が取付けられているが、特に限定されず、篩選別機２０の中央、あるいは可動支持部８の近くであってもよい。
【００３０】
上記のように構成された、振動装置３０を備える篩選別機２０は、篩選別機２０の傾斜角と、振動装置３０の振動波形を変えて、篩選別機２０の篩上を傾斜方向下方に移動する不燃物画分の移動速度を変化させ、篩を通過する不燃物と篩を通過しない可燃物との割合を調整することができる。
【００３１】
仕切板３は、篩選別機２０の下面に追随して、高さ方向に伸縮可能な構造をなしている。例えば、仕切板３は、仕切板の下部部材３ａと、該下部部材３ａに対してスライド可能な仕切板の上部部材３ｂとから構成され、図示しない駆動機構によって上部部材３ｂをスライドさせて、高さ方向に伸縮させることができる。また、下部部材３ａの下端は、不燃物排出口の扉５ａと可燃物排出口の扉５ｂとの間に配置された回転軸３ｃによって回動可能に支持されている。これによれば、篩選別機２０の傾斜角を変更しても、仕切板３の上端が篩選別機２０の下面から離間しないように追随させることができるので、篩選別機２０の下方の空間を不燃物収容空間４ａと可燃物収容空間４ｂに分け、不燃物と可燃物が混じり合わないように、確実に仕切ることができる。
【００３２】
次に、図面を参照しながら、篩選別機２０について詳しく説明する。
【００３３】
図３と図４には、それぞれ篩選別機２０の側面図と斜視図が示されている。篩選別機２０は、篩２４ａ、２４ｂを有する篩選別機本体２１と、篩選別機本体２１の下面から突出する脚部２８ａ、２８ｂとを備え、篩選別機本体２１の下面には振動装置３０が直接取付けられている。不燃物精選分別装置１００において、篩選別機２０は、脚部２８ａが脚部２８ｂよりも高くなるように取りつけられるので、不燃物画分は、図示された矢印の方向に移動しながら、篩選別される。
【００３４】
以下、図５に示された篩選別機２０の分解側面図と、図６に示された分解斜視図を参照しながら、更に詳しく説明する。
【００３５】
篩選別機の本体２１は、フレーム２２の上面に、緩衝材２３ａ，篩２４ａ、緩衝材２３ｂ、篩２４ｂ、緩衝材２３ｃ、押え板２５がこの順序で積み重ねられ、これらの部材に穿設されたボルト挿通孔２７にボルト２６ａが挿通され、ボルト２６ａに螺合するナット２６ｂによって締結された、２枚の篩を有する部品として構成されている。本実施例では、２枚の篩を積み重ねた篩選別機２０を例示したが、篩の枚数は特に限定されず、例えば篩を１枚にして簡素化したり、２枚以上の複数枚を積み重ねて選別能力を高めてもよい。ただし、複数枚を積み重ねる場合は、下段へ行くほど段階的に篩目のサイズが小さくなるように積み重ね、複数枚の篩の全てを通過したものは不燃物収容空間４ａに貯留され、複数枚の篩のいずれかを通過しなかったものは可燃物収容空間４ｂに貯留されるように構成する。
【００３６】
フレーム２２は、曲げ荷重に耐えるように、例えば鉄骨等で組まれた構造物であって、上面の長手方向にはボルト２６ａを挿通するためのボルト挿通孔２７が穿設されている。
【００３７】
篩２４ａ、２４ｂとしては、例えば篩目として多数の円孔が穿たれた薄板（パンチングメタル）、ワイヤーメッシュなどを使用することができる。篩目のサイズは、一例を挙げると、図示しない一次選別機の篩目が１５〜２０ｍｍの場合は、篩選別機２０の上段に配置された篩２４ｂの篩目は６ｍｍ、下段に配置された篩２４ａの篩目は５ｍｍが適する。ただし、投入される不燃物画分の性状は様々であるので、篩目のサイズは上記の数値に限定されるものではなく、適宜変更することができる。
【００３８】
緩衝材２３ａ，２３ｂ，２３ｃは、弾力を備える、例えばゴム素材の長方形の板であって、篩２４ａ、２４ｂの長手方向に延びる２辺に沿って上下に配置され、押え板２５と共にボルト２６ａ、ナット２６ｂによって締結され、篩２４ａ、２４ｂの周辺部を押圧固定している。このため、篩２４ａ、２４ｂの中央部が振動装置３０によって激しく振動しても、周辺部では緩衝材２３ａ，２３ｂ，２３ｃが振動エネルギを吸収して、篩を固定する締結部の緩みや疲労破壊を防止している。
【００３９】
振動装置３０は、振動モータ３１と、篩２４ａの下面に当接して配置される取付用板３２と、篩２４ｂの上面に当接して配置されるモータ用緩衝材３３と、更にモータ用緩衝材３３の上面に配置されるモータ固定用板３４と、これらの部材に穿設されたボルト挿通孔３６に挿通されるボルト３５ａと、ボルト３５ａに螺合するナット３５ｂ、フレーム２２の上面との間に挿入される防振部材３７とを備え、篩２４ａ、２４ｂに直接吊架されている。これによれば、篩２４ａの下面に直接取付けられた振動モータの振動によって、篩の撓みを利用して篩を効果的に振動させ、不燃物が通過しやすくすると共に、目詰まりを抑制することができる。
【００４０】
振動モータ３１としては、モータの回転軸に扇型のウエイトが偏心させて取付けられ、回転軸が回転した時に遠心力によって振動を発生させる振動モータ等を使用することができる。
【００４１】
以上説明した、不燃物精選分別装置１００を用いて、一次選別された不燃物画分を精選分別する方法について説明する。
【００４２】
粗大ゴミ処理施設に搬入された粗大ゴミは、まず破砕機によって破砕されごみ破砕物となる。ごみ破砕物は、既存設備の一次選別機によって、可燃物画分、不燃物画分、磁性物画分、アルミ画分に分別される。このうち、一次選別された不燃物画分を、不燃物精選分別装置１００の投入口２から投入し、傾斜配置された篩選別機２０の、高い位置（脚部２８ａが配置された端部）に落下させる。高い位置に落下させると、篩上に滞留する時間が長くなるので、効率的に選別することができる。例えば、落下位置をコントロールするため、投入口２の下にガイド板（図示せず）を設置してもよい。
【００４３】
篩選別機２０は、下面に直接取付けられた振動装置３０によって、撓みを利用しながら振動している。振動装置３０の振動モータ３１は、連続的に振動させてもよいが、断続的に振動させることもできる。断続的に振動させた方が、篩目上に滞留する時間を調節でき、振動モータ起動・停止時の偏心挙動による振動パターンの変化で、目詰まり防止効果が得られるので好ましい。
【００４４】
振動エネルギを得た不燃物画分は、篩面上を跳ねながら、低い位置（脚部２８ｂが配置された端部）に向かって移動し、その間に二次選別される。
【００４５】
不燃物画分のうち、粒度の小さい不燃物は、篩選別機２０の上段に配置された篩２４ｂの篩目を通過して篩下物として選別され、更に下段に配置された篩２４ａの篩目を通過して篩下物として精選されて、不燃物収容空間４ａに収容される。粒度の大きい可燃物は、篩選別機２０の上段に配置された篩２４ｂの篩目を通過できず、篩２４ｂの篩上物として可燃物収容空間４ｂに収容される。なお、篩２４ｂは通過するが、篩２４ａは通過できない篩２４ａの篩上物も可燃物収容空間４ｂに収容される。
【００４６】
不燃物収容空間４ａに貯留された不燃物は、不燃物排出口の扉５ａを開けて取り出され、最終処分場に運ばれ、埋め立て処理される。一方、可燃物収容空間４ｂに貯留された可燃物は、不燃物排出口の扉５ｂを開けて取り出され、焼却場に運ばれ、焼却処理される。
【００４７】
粗大ゴミの内容が変わり、粗大ゴミ粉砕物から得られる不燃物画分の性状（粒度分布など）が変化した場合は、その変化に合わせて、篩選別機２０の傾斜角や、振動装置３０の振動波形（振幅、周期、連続モードもしくは断続モード）を変えて、不燃物と可燃物の分別割合を調節することができる。
【００４８】
以上説明したように、一次選別された不燃物画分を、本発明の不燃物精選分別装置１００によって二次選別することにより、可燃物の不燃物への混入量を減らして不燃物を減量し、最終処分場の負担を軽減することができる。
【００４９】
なお、不燃物精選分別装置１００は、装置構造を簡略化するために、可動梁９を駆動する駆動装置を設けず、篩選別機の傾斜角を固定した、精選分別装置としてもよい。これによって設備コストを低減することができる。
【００５０】
次に、図２を参照して、本発明に係る不燃物精選分別装置の他の実施形態について説明する。図２に示された不燃物精選分別装置２００では、仕切板１３の下部部材１３ａの下端が、回転軸１３ｃによって、壁部１と回動可能に接続されている。一方、仕切板の下部部材１３ａに対してスライド可能な上部部材１３ｂの上端は、回転軸１３ｄによって、篩選別機２０ａの脚部２８ｃと回動可能に接続されている。篩選別機２０ａの傾斜角を変更した時に、篩選別機２０ａに連動して仕切板１３が回動、伸縮するようになっている。このようにすれば、仕切板１３を伸縮させる専用の駆動装置を備える必要がなくなり、装置構造を簡略化することができる。
【００５１】
以上は、不燃物精選分別装置の全体構成について説明した。しかしながら、本発明の要部は、二次選別用の篩選別機２０と仕切板３であって、上記実施形態には限定されない。例えば、既存設備に設けられた不燃物画分の投入ホッパ外壁をそのまま利用し、ホッパ取付部品として篩選別機２０と仕切板３を取付けて、本発明の不燃物精選分別装置を構成することができる。これによって、設備コストを低減しつつ、不燃物を更に精選して、埋め立て処理する不燃物ごみの量を減らすことができる。
【符号の説明】
【００５２】
１  外壁
２  投入口
３，１３  仕切板
３ａ，１３ａ  仕切板の下部部材
３ｂ，１３ｂ  仕切板の上部部材
３ｃ、１３ｃ，１３ｄ  回転軸
４ａ  不燃物収容空間
４ｂ  可燃物収容空間
５ａ  不燃物排出口の扉（扉閉状態）
５ａａ  不燃物排出口の扉（扉開状態）
５ｂ  可燃物排出口の扉（扉閉状態）
５ｂｂ  可燃物排出口の扉（扉開状態）
６  固定支持部
６ａ  回転軸
６ｂ  軸受部
６ｃ  防振部材
７  固定梁
８  可動支持部
８ａ  回転軸
８ｂ  軸受部
８ｃ  防振部材
９  可動梁
２０，２０ａ  篩選別機
２１  本体
２２  フレーム
２３ａ，２３ｂ，２３ｃ  緩衝材
２４ａ，２４ｂ  篩
２５  押え板
２６ａ  ボルト
２６ｂ  ナット
２７  ボルト挿通孔
２８ａ，２８ｂ，２８ｃ  脚部
２９ａ，２９ｂ，２９ｃ  脚部貫通孔
３０  振動装置
３１  振動モータ
３２  モータ取付用板
３３  モータ用緩衝材
３４  モータ固定用板
３５ａ  ボルト
３５ｂ  ナット
３６  ボルト挿通孔
３７  防振部材
１００，２００  不燃物精選分別装置
【図１】
0006440146.tif 000002
【図２】
0006440146.tif 000003
【図３】
0006440146.tif 000004
【図４】
0006440146.tif 000005
【図５】
0006440146.tif 000006
【図６】
0006440146.tif 000007